(57)【特許請求の範囲】
【請求項１】
開口を有する電池収納部と、前記開口を閉鎖するための蓋と、電子機器を調整・点検するためのチェックランドと、を具備した電子機器であって、前記チェックランドは、前記蓋が前記開口を開けた状態であって前記電池収納部に電池を収納した状態において前記開口により露出される位置に配置されることを特徴とした電子機器。
【請求項２】
開口を有する電池収納部と、前記開口を閉鎖するための蓋と、電子機器を調整・点検するためのコネクタと、を具備した電子機器であって、前記コネクタは、前記蓋が前記開口を開けた状態であって前記電池収納部に電池を収納した状態において前記開口により露出される位置に配置されることを特徴とした電子機器。
【請求項３】
前記電池は少なくとも日付情報をバックアップするためのバックアップ電池であることを特徴とする請求項１または請求項２に記載の電子機器。
【請求項４】
前記電子機器は、前記電池収納部に収納される電池とは異なる電池を装着する装着部を具備し、前記蓋は、前記装着部に設けられることを特徴とする請求項３に記載の電子機器。
【請求項５】
開口を有する電池収納部と、前記開口を閉鎖するための蓋と、ビデオカメラを調整・点検するためのチェックランドと、を具備したビデオカメラであって、前記チェックランドは、前記蓋が前記開口を開けた状態であって前記電池収納部に電池を収納した状態において前記開口により露出される位置に配置されることを特徴としたビデオカメラ。
【請求項６】
前記チェックランドは、テープ走行を調整・点検するためのエンベロープデータ出力用チェックランドであることを特徴とする請求項５に記載のビデオカメラ。
【請求項７】
開口を有する電池収納部と、前記開口を閉鎖するための蓋と、ビデオカメラを調整・点検するためのコネクタと、を具備したビデオカメラであって、前記コネクタは、前記蓋が前記開口を開けた状態であって前記電池収納部に電池を収納した状態において前記開口により露出される位置に配置されることを特徴としたビデオカメラ。
【請求項８】
前記コネクタは、テープ走行を調整・点検するためのエンベロープ出力用コネクタであることを特徴とする請求項７に記載のビデオカメラ。
【請求項９】
前記電池は少なくとも日付情報をバックアップするためのバックアップ電池であることを特徴とする請求項５乃至請求項８のいずれか１項に記載のビデオカメラ。
【請求項１０】
前記ビデオカメラは、前記電池収納部に収納される電池とは異なる電池を装着する装着部を具備し、前記蓋は、前記装着部に設けられることを特徴とする請求項９に記載のビデオカメラ。
【請求項１１】
開口を有する電池収納部と、前記開口を閉鎖するための蓋と、光磁気ディスク装置を調整・点検するためのチェックランドと、を具備した光磁気ディスク装置であって、前記チェックランドは、前記蓋が前記開口を開けた状態であって前記電池収納部に電池を収納した状態において前記開口により露出される位置に配置されることを特徴とした光磁気ディスク装置。
【請求項１２】
前記チェックランドは、光磁気ディスク装置の光ピックアップ部の位置調整用チェックランドであることを特徴とする請求項１１に記載の光磁気ディスク装置。
【請求項１３】
開口を有する電池収納部と、前記開口を閉鎖するための蓋と、光磁気ディスク装置を調整・点検するためのコネクタと、を具備した光磁気ディスク装置であって、前記コネクタは、前記蓋が前記開口を開けた状態であって前記電池収納部に電池を収納した状態において前記開口により露出される位置に配置されることを特徴とした光磁気ディスク装置。
【請求項１４】
前記コネクタは、光磁気ディスク装置の光ピックアップ部の位置調整用コネクタであることを特徴とする請求項１３に記載の光磁気ディスク装置。
【請求項１５】
前記電池は少なくとも日付情報をバックアップするためのバックアップ電池であることを特徴とする請求項１１乃至請求項１４のいずれか１項に記載の光磁気ディスク装置。
【発明の詳細な説明】
【０００１】
【発明の属する技術分野】
本発明は、電池収納部を有する電子機器に関するものである。
【０００２】
【従来の技術】
一般に、ビデオカメラ等のヘリカルスキャン式磁気記録再生装置では、回転する磁気ヘッドが、磁気テープに記録されたトラックを正確に走査できるようにするため、テープの走行調整をおこなう。図７に従来のヘリカルスキャン式磁気記録再生装置の一例を示す。テープの走行は、図７示すテープガイドポスト７０，７１，７２などによって規制され、テープガイドポスト７０，７１，７２にはネジ構造の高さ調整機構が備わっている。走行調整は、マスターテープ（トラック直線性に良い調整用の基準テープ）を使用し、磁気ヘッドの再生信号から得られるエンベロープデータに基づいて調整量を決定し、テープガイドポスト７０，７１，７２の頭部に調整用のドライバを嵌合させ、ドライバを回転させることで、テープガイドポストの高さを変えることで調整する。
【０００３】
ところで、従来のビデオカメラでは、上述した走行調整・点検用のエンベロープデータを得るための組ばらしをなくして調整作業時間を減少し、調整費用のコストを減らすために、図８に示すように目隠し蓋８０を設け、目隠し蓋８０を開けるとエンベロープデータ出力用のチェックランドあるいはコネクタが顔を出す構成にしたものがある。このように構成することで、サービスステーション等での調整・点検時において、目隠し蓋８０を外し、チェックランドあるいはコネクタからエンベロープデータを得ることで組ばらし時間を短縮して走行調整・点検を行うことが可能となる。
【０００４】
【発明が解決しようとする課題】
しかしながら、上記のエンベロープ出力用の目隠し蓋はユーザーにとって意味のないものであり、また部品点数が増え、コストアップになるという問題があった。
【０００５】
本発明は上記のような問題点を解決するためになされたものであり、部品点数を増やすことなく、組ばらし時間を少なくして電子機器の調整・点検を行うことができる電子機器を提供することを目的とする。
【０００６】
【課題を解決するための手段】
上記の目的を達成するために、本発明の電子機器は、開口を有する電池収納部と、前記開口を閉鎖するための蓋と、電子機器を調整・点検するためのチェックランドと、を具備した電子機器であって、前記チェックランドは、前記蓋が前記開口を開けた状態であって前記電池収納部に電池を収納した状態において前記開口により露出される位置に配置されることを特徴とした。
【０００７】
本発明の電子機器は、開口を有する電池収納部と、前記開口を閉鎖するための蓋と、電子機器を調整・点検するためのコネクタと、を具備した電子機器であって、前記コネクタは、前記蓋が前記開口を開けた状態であって前記電池収納部に電池を収納した状態において前記開口により露出される位置に配置されることを特徴とした。
【０００９】
本発明のビデオカメラは、開口を有する電池収納部と、前記開口を閉鎖するための蓋と、ビデオカメラを調整・点検するためのチェックランドと、を具備したビデオカメラであって、前記チェックランドは、前記蓋が前記開口を開けた状態であって前記電池収納部に電池を収納した状態において前記開口により露出される位置に配置されることを特徴とした。
【００１１】
本発明のビデオカメラは、開口を有する電池収納部と、前記開口を閉鎖するための蓋と、ビデオカメラを調整・点検するためのコネクタと、を具備したビデオカメラであって、前記コネクタは、前記蓋が前記開口を開けた状態であって前記電池収納部に電池を収納した状態において前記開口により露出される位置に配置されることを特徴とした。
【００１４】
本発明の光磁気ディスク装置は、開口を有する電池収納部と、前記開口を閉鎖するための蓋と、光磁気ディスク装置を調整・点検するためのチェックランドと、を具備した光磁気ディスク装置であって、前記蓋が前記開口を開けた状態であって前記電池収納部に電池を収納した状態において前記開口により露出される位置に配置されることを特徴とした。
【００１６】
本発明の光磁気ディスク装置は、開口を有する電池収納部と、前記開口を閉鎖するための蓋と、光磁気ディスク装置を調整・点検するためのコネクタと、を具備した光磁気ディスク装置であって、前記コネクタは、前記蓋が前記開口を開けた状態であって前記電池収納部に電池を収納した状態において前記開口により露出される位置に配置されることを特徴とした。
【００１７】
請求項１２に記載の発明は、請求項１１に記載の光磁気ディスク装置において、前記コネクタは、光磁気ディスク装置の光ピックアップ部の位置調整用コネクタであることを特徴とした。
【００１８】
請求項１３に記載の発明は、請求項９から請求項１２にいずれか記載の光磁気ディスク装置において、前記電池は日付情報等をバックアップするためのバックアップ電池であることを特徴とする。
【００１９】
【発明の実施の形態】
以下、本発明の実施形態について図を参照しながら説明する。
【００２０】
図１は本発明の実施形態におけるビデオカメラの正面方向（被写体側）から見た斜視図、図２（ａ）は同ビデオカメラの右側面図、図２（ｂ）は同ビデオカメラの左側面図、図３（ａ）は同ビデオカメラの後方（撮影者側）から見た斜視図、図３（ｂ）はバッテリーを装着した同ビデオカメラの後方から見た斜視図である。
【００２１】
図１において、１０はビデオカメラ本体、１１はビデオカメラ本体１０の長手方向前方（被写体側）に設けられたレンズ部、１２は撮影音声を集音するマイク部、１３は高画質な映像信号を出力可能なＳ端子（不図示）とＩＥＥＥ１３９４端子（不図示）を覆うように装着される端子カバー、１４は液晶モニタ部でありヒンジ機構によって開閉及び回転が可能である。１５はチルト可能なファインダー部である。
【００２２】
図２（ａ）において、２０ａ，２０ｂ，２０ｃ，２０ｄ，２０ｅ，２０ｆ，２０ｇ，２０ｈ，２０ｉ，２０ｊは各種操作キーであり、再生／一時停止、停止、早送り、巻き戻し等の再生操作、カメラモード時に使用するデジタルエフェクトの可否、オート／マニュアルフォーカス選択、メニュー表示のＯＮ／ＯＦＦの切替え等を行うことが可能である。２１は液晶モニタ部を開閉するためのイジェクトスイッチ、２２は静止画記録用メモリーカードを装填するための挿入口を開閉するメモリーカード蓋、２３はメニューの選択・決定等を行うマルチダイヤルである。
【００２３】
図２（ｂ）において、２４ｅは電源アダプターの端子が装着されＤＣ電源が入力されるＤＣ入力端子、２４ｂは映像信号を入出力可能なＡＶ端子、２４ｃはマイクが接続されて音声信号を入出力が可能なマイク端子、２４ａはワイヤードリモコン等の接続が可能なランク端子、２４ｄはパソコン等の接続が可能なＵＳＢ端子であり、これら端子群は不図示の端子カバーによって開閉される。２５はビデオカメラ本体１０の内部に設けられた記録再生装置に磁気テープを装填するための開口を開閉するカセットカバー、２６はスピーカー部、２７はズーム操作を行うためのズームキー、２８は静止画の記録を行うフォトボタン、２９は静止画を記録する媒体を選択するテープ／カード切替えスイッチである。
【００２４】
図３（ａ）及び図３（ｂ）において、３０はバッテリーを脱着するためのバッテリーイジェクトボタン、３１は回転式の電源スイッチ、３２は撮影ボタン、３４はビデオカメラ本体１０の後方（撮影者側）に設けられたバッテリーが装着可能なバッテリー装着部、３３はバッテリー装着部に設けられたバックアップ電池収納部を開閉するバックアップ電池収納カバー、３５ａ，３５ｂ，３５ｃ，３５ｄはバッテリー３６の端子と接続して電源電圧をビデオカメラ本体に供給するためのバッテリー端子、３６はビデオカメラ本体１０に電源電圧を供給する電源電池であるバッテリーで、一般に充電池からなる。
【００２５】
次に本発明の特徴とするバックアップ電池収納部の構成について詳しく説明する。図４（ａ）は本実施形態のビデオカメラ後部の正面から見た分解斜視図、図４（ｂ）は同ビデオカメラ後部の後方から見た分解斜視図である。また図５はバックアップ電池収納カバー３３を取り外した状態を同ビデオカメラ後方から見た図、図６はバックアップ電池４３を収納した状態を同ビデオカメラ後方から見た図である。
【００２６】
図４（ａ）および図４（ｂ）において、４２はビデオカメラ本体後部を構成するリアカバー、４１はメモリーカードコネクター４１１、マルチダイヤル４１２、バックアップ電池接続用＋端子４１３、バックアップ電池接続用−端子４１４、エンベロープデータ出力用チェックランド４１５を備えた基板であり、不図示のＦＰＣによってメイン基板（不図示）に接続される。またリアカバー４２には日付情報等をバックアップするためのバックアップ電池４３を挿入するための開口４２１が設けられている。基板４１は基板取付けビス４０ａ，４０ｂ，４０ｃによってリアカバー４２に取付けられ、リアカバー４２に形成されたリブ４２２と基板４１によってバックアップ電池収納部５０が形成される。ここで、図５に示すように、基板４１においてエンベロープデータ出力用チェックランド４１５をリアカバー開口４２１によって露出される位置に配置することで、バックアップ電池収納部５０にエンベロープデータ出力用チェックランド４１５を配置することが可能となる。
【００２７】
本発明の実施形態では、エンベロープ出力用としてチェックランドを用いたが、チェックランドに限るものでなく、コネクタを用いても良い。
【００２８】
バックアップ電池４３は、図６に示すように、リアカバー開口４２１から略斜め方向からスライドさせて挿入し、バックアップ電池接続用＋端子４１３、バックアップ電池接続用−端子４１４、リアカバー４２に形成された突出部４２３，４２４によって弾性保持される。
【００２９】
このように、本発明の実施形態では、日付情報をバックアップするためのバックアップ電池収納部にエンベロープデータを得るためのチェックランドまたはコネクタを配置する構成とし、専用の目隠し蓋を必要とすることがないので、部品点数を増やすことなく、組ばらし時間を少なくして走行調整・点検を行うことが可能となる。
【００３０】
また、本発明の実施形態では、ヘリカルスキャン式磁気記録再生装置を記録再生部とするビデオカメラにおいて、バックアップ電池収納部にテープ走行調整用のチェックランドを配置する構成について説明したが、これに限るものではなく、例えば、光磁気ディスク装置を記録部とするビデオカメラにおいて、バックアップ電池収納部に光ピックアップの位置調整用チェックランドを配置する構成としても良い。
【００３１】
【発明の効果】
以上説明したように、本発明によれば、部品点数を増やすことなく、組ばらし時間を少なくして電子機器の調整・点検を行うことが可能となる。
【図面の簡単な説明】
【図１】本発明の実施形態におけるビデオカメラの正面方向から見た斜視図である。
【図２（ａ）】本発明の実施形態におけるビデオカメラの右側面図である。
【図２（ｂ）】本発明の実施形態におけるビデオカメラの左側面図である。
【図３（ａ）】本発明の実施形態におけるビデオカメラの後方から見た斜視図である。
【図３（ｂ）】本発明の実施形態におけるバッテリーを装着したビデオカメラの後方から見た斜視図である。
【図４（ａ）】本発明の実施形態におけるビデオカメラ後部の正面から見た分解斜視図である。
【図４（ｂ）】本発明の実施形態におけるビデオカメラ後部の後方から見た分解斜視図である。
【図５】本発明の実施形態におけるビデオカメラのバックアップ電池収納カバーを取り外した状態を後方から見た図である。
【図６】本発明の実施形態におけるビデオカメラのバックアップ電池を収納した状態を後方から見た図である。
【図７】ヘリカルスキャン式磁気記録再生装置の一例を示す図である。
【図８】従来のビデオカメラの構成を示す右側面図である。
【図１】
0004011923.tif 000002
【図２ａ】
0004011923.tif 000003
【図２ｂ】
0004011923.tif 000004
【図３ａ】
0004011923.tif 000005
【図３ｂ】
0004011923.tif 000006
【図４ａ】
0004011923.tif 000007
【図４ｂ】
0004011923.tif 000008
【図５】
0004011923.tif 000009
【図６】
0004011923.tif 000010
【図７】
0004011923.tif 000011
【図８】
0004011923.tif 000012